(57)【要約】  【課題】  防食コアがフランジ本体から外れることを防止でき、かつ、防食コアとフランジ本体とを一体化する工程を簡略化できる。【解決手段】  フランジ型管継手は、フランジ本体１０と、防食コア１２とを備える。フランジ本体１０は、外筒部２０、及び、フランジ鍔部２２を有する。外筒部２０の端部の開口の縁にその開口を取り巻く切り欠きが設けられる。外筒部２０は雌ネジを有する。フランジ鍔部２２は外筒部２０の端部に設けられる。防食コア１２は、内筒部、及び、コア鍔部を有する。内筒部はフランジ本体１０の外筒部２０内に挿入される。コア鍔部は内筒部の端部に設けられる。コア鍔部はフランジ本体１０の切り欠きに嵌まる。外筒部２０が、凹部を内周に有している。防食コア１２が抜止部をさらに有している。抜止部は内筒部とコア鍔部との境界部に配置される。抜止部は凹部に嵌まる。【選択図】      図１
2014029172.tif 000002
【特許請求の範囲】
【請求項１】
端部の開口の縁に前記開口を取り巻く切り欠きが設けられ雌ネジを有する外筒部、及び、前記外筒部の前記端部に設けられるフランジ鍔部を有するフランジ本体と、
前記フランジ本体の前記外筒部内に挿入される内筒部、及び、前記内筒部の端部に設けられ前記切り欠きに嵌まるコア鍔部を有する防食コアとを備えるフランジ型管継手であって、
前記外筒部が凹部を内周に有しており、
前記防食コアが、前記内筒部と前記コア鍔部との境界部に配置され前記凹部に嵌まる抜止部をさらに有していることを特徴とするフランジ型管継手。
【請求項２】
前記抜止部が、隙間が形成されるよう互いの間が離れている少なくとも３つの包囲片を有することを特徴とする請求項１に記載のフランジ型管継手。
【請求項３】
前記少なくとも３つの包囲片が、前記内筒部の外周を取り巻くように配置されることを特徴とする請求項２に記載の水取器。
【発明の詳細な説明】
【技術分野】
【０００１】
本発明はフランジ型管継手に関する。
【背景技術】
【０００２】
特許文献１はフランジ型管継手を開示する。このフランジ型管継手はテーパ雌ネジ部とフランジ部とを備える。テーパ雌ネジ部は鋼管端部のテーパ雄ネジ部にかみ合う。フランジ部はボルトにて締め付けられる。このフランジ型管継手は左雌ネジ部をさらに備える。この左雌ネジ部には樹脂製の防食コアがかみ合う。防食コアは、鍔部と、左雄ネジ部と、筒状部とからなる。筒状部の外周面はテーパ雌ネジ部との間に隙間を構成する。この隙間に鋼管端部が挟まれる。隙間の底にあたる箇所に弾性リングが配置される。特許文献１に開示されたフランジ型管継手によれば、鋼管における継手部分の腐食を防止できる。
【０００３】
特許文献２はフランジ型管継手を開示する。このフランジ型管継手はフランジ本体を備える。フランジ本体の内周面に、管用テーパ雌ネジと不完全雌ネジとが設けられる。不完全雌ネジは管用テーパ雌ネジの小径側に配置される。不完全雌ネジは管用テーパ雌ネジに連続している。不完全雌ネジは、テーパ雌ネジの小径側内径部分が切り取られたものである。この不完全雌ネジと環状突堤と切欠き部とが被覆されるように樹脂製の防食コアが形成されている。特許文献２に開示されたフランジ型管継手によれば、鋼管をねじ込み接続する際、樹脂製のコアが本体から外れなくなる。特許文献２に開示されたフランジ型管継手によれば、樹脂製コアを射出成型する際にも配管との接続用雌ネジ部にコア部の溶融樹脂がはみ出さない。
【先行技術文献】
【特許文献】
【０００４】
【特許文献１】特開平７−７１６６６号公報
【特許文献２】特開平８−３０３６６０号公報
【発明の概要】
【発明が解決しようとする課題】
【０００５】
特許文献１に開示されたフランジ型管継手には、テーパ雌ネジ部に鋼管がねじ込み接続されると、鋼管のねじ込み力によって防食コアが鋼管と共回りするという問題点がある。防食コアが鋼管と共回りすると、防食コアが左雌ネジ部から外れてしまう。
【０００６】
特許文献２に開示されたフランジ型管継手には、樹脂製コアを射出成型する工程に手間がかかるという問題がある。フランジ本体に金型を密着させる必要があるためである。
【０００７】
本発明は、この問題点を解消するためになされたものである。その目的は、防食コアがフランジ本体から外れることを防止でき、かつ、防食コアとフランジ本体とを一体化する工程を簡略化できるフランジ型管継手を提供することにある。
【課題を解決するための手段】
【０００８】
図面を参照し本発明のフランジ型管継手を説明する。なおこの欄で図中の符号を使用したのは発明の内容の理解を助けるためである。この欄で図中の符号を使用することには発明の内容を図示した範囲に限定する意図がない。
【０００９】
上述した目的を達成するために、本発明のある局面に従うと、フランジ型管継手は、フランジ本体１０と、防食コア１２とを備える。フランジ本体１０は、外筒部２０、及び、フランジ鍔部２２を有する。外筒部２０の端部の開口４０の縁にその開口４０を取り巻く切り欠き３２が設けられる。外筒部２０は雌ネジ３０を有する。フランジ鍔部２２は外筒部２０の端部に設けられる。防食コア１２は、内筒部６０、及び、コア鍔部６２を有する。内筒部６０はフランジ本体１０の外筒部２０内に挿入される。コア鍔部６２は内筒部６０の端部に設けられる。コア鍔部６２はフランジ本体１０の切り欠き３２に嵌まる。外筒部２０が、凹部３４を内周に有している。防食コア１２が抜止部６４をさらに有している。抜止部６４は内筒部６０とコア鍔部６２との境界部に配置される。抜止部６４は凹部３４に嵌まる。
【００１０】
フランジ本体１０と防食コア１２とは、抜止部６４が凹部３４に嵌まることで一体化する。これにより、防食コア１２がフランジ本体１０から外れることを防止できる。フランジ本体１０に金型を密着させた上で防食コア１２を射出成型する場合に比べ、一体化する工程が簡略化される。しかも、抜止部６４は内筒部６０とコア鍔部６２との境界部に配置される。これにより、フランジ本体１０と防食コア１２とが一体化する際、内筒部６０のうち抜止部６４が配置される側とは反対の端部が変形しにくくなる。内筒部６０のうち抜止部６４が配置される側とは反対の端部が変形しにくくなると、フランジ型管継手へ管を接続し難くなる可能性は低下する。
【００１１】
また、上述した抜止部６４が、少なくとも３つの包囲片９０を有することが望ましい。包囲片９０は隙間９２が形成されるよう互いの間が離れている。
【００１２】
抜止部６４が少なくとも３つの包囲片９０を有しており、かつ、それらの間に隙間９２が形成されているので、そのような隙間９２がない場合に比べ、抜止部６４は窄まりやすくなる。しかも、抜止部６４が、少なくとも３つの包囲片９０を有するので、抜止部６４が窄まる際、互いに隣接する包囲片９０の両端の隙間９２とそれらの包囲片９０の間の隙間９２とで抜止部６４が曲がりやすくなる。曲がりやすくなるので、抜止部６４は窄まりやすくなる。
【００１３】
もしくは、上述した少なくとも３つの包囲片９０が、内筒部６０の外周を取り巻くように配置されることが望ましい。
【００１４】
包囲片９０が内筒部６０の外周を取り巻くと、互いに隣接する包囲片９０の両端の隙間９２とそれらの包囲片９０の間の隙間９２とで抜止部６４が曲がる際、抜止部６４が大きく曲がりやすくなる。抜止部６４が大きく曲がりやすくなるので、抜止部６４はよく窄まる。
【発明の効果】
【００１５】
本発明によれば、防食コアがフランジ本体から外れることを防止でき、かつ、防食コアとフランジ本体とを一体化する工程を簡略化できる。本発明によれば、フランジ型管継手へ管を接続し難くなる可能性が低下する。
【図面の簡単な説明】
【００１６】
【図１】本発明の実施形態にかかるフランジ型管継手の断面図である。
【図２】本発明の実施形態にかかるフランジ本体の外観図である。
【図３】本発明の実施形態にかかる防食コアの外観図である。
【図４】本発明の実施形態にかかる防食コアの平面図である。
【図５】本発明の実施形態にかかる包囲片の外観図である。
【発明を実施するための形態】
【００１７】
以下、図面を参照しつつ、本発明の実施形態について説明する。以下の説明では、同一の部品には同一の符号を付してある。それらの名称及び機能も同一である。したがって、それらについての詳細な説明は繰返さない。
【００１８】
［構造の説明］
図１は、本実施形態にかかるフランジ型管継手の断面図である。図１に基づいて、本実施形態にかかるフランジ型管継手の構成が説明される。本実施形態にかかるフランジ型管継手は、フランジ本体１０と、防食コア１２とを備える。フランジ本体１０は、外筒部２０、及び、フランジ鍔部２２を有する。外筒部２０の一端からその中に鋼管（図示せず）が挿入される。外筒部２０の他端からその中に防食コア１２が挿入される。鋼管の先端は外筒部２０と防食コア１２との間に進入する。フランジ鍔部２２はボルト（図示せず）にて締め付けられる。
【００１９】
図２は、本実施形態にかかるフランジ本体１０の外観図である。図２においてフランジ本体１０の一部は取り除かれている。図２に基づいて、本実施形態にかかるフランジ本体１０の構成が説明される。上述したように、フランジ本体１０は、外筒部２０、及び、フランジ鍔部２２を有する。外筒部２０は、雌ネジ３０と、切り欠き３２と、凹部３４とを有する。本実施形態の場合、雌ネジ３０はテーパネジである。本実施形態の場合、外筒部２０内に挿入される鋼管の外周面には雄ネジが設けられている。この雄ネジもテーパネジである。雌ネジ３０は、その雄ネジとかみ合う。図２から明らかなように、切り欠き３２は、外筒部２０の他端側（防食コア１２が挿入される側）の開口４０の縁に設けられる。図２から明らかなように、切り欠き３２は、開口４０を取り巻いている。凹部３４は、外筒部２０の内周のうち、開口４０と 雌ネジ３０との間に配置される。凹部３４の内径は雌ネジ３０の内径（本実施形態の場合、雌ネジ３０のうち最も内径が小さい箇所の内径）よりも大きな内径である。フランジ鍔部２２は外筒部２０の他端側の端部に設けられる。フランジ鍔部２２は外筒部２０の端部から突出している。フランジ鍔部２２はボルト孔５０を有する。ボルト孔５０をボルト（図示せず）が貫通する。
【００２０】
図３は、本実施形態にかかる防食コア１２の外観図である。図３において防食コア１２の一部は取り除かれている。図３に基づいて、本実施形態にかかる防食コア１２の構成が説明される。防食コア１２は、内筒部６０と、コア鍔部６２と、抜止部６４とを有する。内筒部６０はフランジ本体１０の外筒部２０内に挿入される。コア鍔部６２は内筒部６０から突出するように設けられる。コア鍔部６２はフランジ本体１０の切り欠き３２に嵌まる。コア鍔部６２の形状はリング形である。抜止部６４は、内筒部６０とコア鍔部６２との境界部に配置される。抜止部６４はフランジ本体１０の凹部３４に嵌まる。
【００２１】
内筒部６０は、胴部７０と、複数のリブ７２と、リップ７４と、シール溝７６とを有している。胴部７０の形状は筒形である。胴部７０のうち一端部（外筒部２０に挿入される側の端部）は他端部（コア鍔部６２が設けられている側の端部）に比べて外径が小さい。リブ７２は、胴部７０の内周面に配置されている。リップ７４は胴部７０の一端部の外周面から突出するように設けられる。リップ７４は胴部７０の外周面全周にわたって設けられている。シール溝７６は、リップ７４に隣接するように設けられている。シール溝７６にＯリング８０が嵌め込まれる。
【００２２】
図４は、本実施形態にかかる防食コア１２の平面図である。図３と図４とに基づいて、本実施形態にかかる抜止部６４の構成が説明される。本実施形態にかかる抜止部６４は、内筒部６０（具体的には胴部７０）の外周から径方向（胴部７０の中心軸から胴部７０の外周面へ向かう方向）に突出している。本実施形態にかかる抜止部６４は、４つの包囲片９０を有する。これらの包囲片９０は、内筒部６０（具体的には胴部７０）の外周を取り巻くように配置される。これらの包囲片９０は隙間９２が形成されるよう互いの間が離れている。
【００２３】
図５は、本実施形態にかかる包囲片９０の外観図である。図５に基づいて、本実施形態にかかる包囲片９０の構成が説明される。包囲片９０は、窄まり面１００と、引っ掛かり面１０２とを有する。窄まり面１００は内筒部６０の一端部（外筒部２０に挿入される側の端部）に近づくにつれ窄まる。引っ掛かり面１０２は、窄まり面１００から見て内筒部６０の他端部（コア鍔部６２が設けられている側の端部）側に配置される。引っ掛かり面１０２は、外筒部２０の凹部３４の内壁に引っ掛かる。
【００２４】
［組立方法の説明］
本実施形態にかかるフランジ型管継手の組立方法は以下の通りである。まず、フランジ本体１０の外筒部２０内へ防食コア１２の内筒部６０が挿入される。外筒部２０内への内筒部６０の挿入は、装置によるものであってもよいし、人手によるものであってもよい。外筒部２０内へ内筒部６０が挿入されると、防食コア１２の内筒部６０の他端部（コア鍔部６２が設けられている側の端部）に一端部（外筒部２０に挿入される側の端部）方向の力が加えられる。この力は、装置により加えられるものであってもよいし、人手により加えられるものであってもよい。この力を受けた抜止部６４は窄まる。包囲片９０同士の間に隙間９２が存在するためである。包囲片９０が窄まり面１００を有していることは、抜止部６４の窄まりを促進する。窄まった抜止部６４は、開口４０を通過した後、凹部３４に対向する。抜止部６４は、凹部３４に対向すると、元の形状に戻る。これに伴い、抜止部６４は凹部３４に嵌まる。包囲片９０の引っ掛かり面１０２が凹部３４の内周面に引っ掛かる。これと同時に、防食コア１２のコア鍔部６２はフランジ本体１０の切り欠き３２に嵌まる。これにより、フランジ型管継手の組立が完了する。
【００２５】
［使用方法の説明］
本実施形態にかかるフランジ型管継手の使用方法は従来から周知のフランジ型管継手の使用方法と同様である。したがって、ここではその詳細な説明は繰返されない。
【００２６】
［本実施形態にかかるフランジ型管継手の効果］
本実施形態にかかるフランジ型管継手によれば、防食コア１２がフランジ本体１０から外れることを防止でき、かつ、防食コア１２とフランジ本体１０とを一体化する工程を簡略化できる。本実施形態にかかるフランジ型管継手によれば、フランジ本体１０と防食コア１２との一体化の際、内筒部６０の一端部（外筒部２０に挿入される側の端部）が変形しにくくなる。本実施形態にかかるフランジ型管継手によれば、抜止部６４が窄まる際、互いに隣接する包囲片９０の両端の隙間９２とそれらの包囲片９０の間の隙間９２とで抜止部６４が曲がりやすくなる。曲がりやすくなるので、抜止部６４は窄まりやすくなる。本実施形態にかかるフランジ型管継手によれば、包囲片９０が内筒部６０の外周を取り巻くので、抜止部６４が大きく曲がりやすくなる。抜止部６４が大きく曲がりやすくなるので、抜止部６４はよく窄まる。
【００２７】
<変形例の説明>
今回開示された実施形態はすべての点で例示である。本発明の範囲は上述した実施形態に基づいて制限されるものではなく、本発明の趣旨を逸脱しない範囲で種々の設計変更をしてもよいのはもちろんである。
【００２８】
例えば、抜止部６４が有する包囲片９０の数は４つに限定されない。包囲片９０の数は３つ以下であってもよい。包囲片９０の数は５つ以上であってもよい。包囲片９０は内筒部６０の外周を取り巻いていなくともよい。すなわち、包囲片９０は内筒部６０の外周の一部分に並んでいてもよい。抜止部６４の形態は上述したものに限定されない。フランジ本体１０の外筒部２０の雌ネジ３０は、平行雌ネジであってもよい。
【符号の説明】
【００２９】
１０      ：フランジ本体
１２      ：防食コア
２０      ：外筒部
２２      ：フランジ鍔部
３０      ：雌ネジ
３２      ：切り欠き
３４      ：凹部
４０      ：開口
５０      ：ボルト孔
６０      ：筒部
６２      ：コア鍔部
６４      ：抜止部
７０      ：胴部
７２      ：リブ
７４      ：リップ
７６      ：シール溝
８０      ：Ｏリング
９０      ：包囲片
９２      ：隙間
１００    ：窄まり面
１０２    ：引っ掛かり面
【図１】
2014029172.tif 000003
【図２】
2014029172.tif 000004
【図３】
2014029172.tif 000005
【図４】
2014029172.tif 000006
【図５】
2014029172.tif 000007